(57)【要約】【課題】水平分割読み出し構造を持つＣＣＤ撮像素子では、数ラインに一度だけ垂直転送が行われるため、数画素周期のレベル差が縦筋となって見える。前記要因により発生するノイズを低減できるようにする。【解決手段】複数の受光部がマトリクス状に配列され、前記受光部の垂直列ごとに設けられた各受光部から電荷を転送する垂直転送部と、転送された電荷を水平方向に転送する水平転送部とを有し、全画素の信号電荷を独立に読み出す静止画撮影モードにおいて、１行分の画素の信号電荷を複数回に分けて水平転送部にて転送し、読み出される構造を持つＣＣＤ撮像素子と、前記ＣＣＤ撮像素子を駆動する駆動手段と、前記駆動手段を制御する制御手段とを備え、前記駆動手段は、静止画撮影モードにおける駆動方法（クロックパターン）を複数持ち、前記制御手段は、撮影条件に応じて、静止画撮影モードにおける駆動方法を変更するように制御を行うことを特徴とする構成とした。【選択図】図２
2012095215.tif 000002
【特許請求の範囲】
【請求項１】
複数の受光部がマトリクス状に配列され、前記受光部の垂直列ごとに設けられた各受光部から電荷を転送する垂直転送部と、前記垂直転送部より電荷が転送され、転送された電荷を水平方向に転送する水平転送部とを有し、全画素の信号電荷を独立に読み出す静止画撮影モードにおいて、１行分の画素の信号電荷を複数回に分けて水平転送部にて転送し、読み出される構造を持つＣＣＤ撮像素子と、
前記ＣＣＤ撮像素子を駆動する駆動手段と、
前記駆動手段を制御する制御手段とを備え、
前記駆動手段は、静止画撮影モードにおける駆動方法（クロックパターン）を複数持ち、
前記制御手段は、撮影条件に応じて、静止画撮影モードにおける駆動方法を変更するように制御を行う
ことを特徴とする撮像装置
【請求項２】
前記駆動手段は、静止画撮影モードにおける駆動方法として、基本となる第１の駆動方法と、第１の駆動方法と比べて、垂直転送の転送速度が遅い第２の駆動方法を有することを特徴とする請求項１に記載の撮像装置。
【請求項３】
静止画撮影時のＩＳＯ感度を変更する手段を備え、前記制御手段はＩＳＯ感度に応じて、前記駆動手段の駆動方法を変更することを特徴とする請求項１又は請求項２に記載の撮像装置。
【請求項４】
静止画撮影時のＩＳＯ感度を変更する手段を備え、前記制御手段はＩＳＯ感度が高い場合に、垂直転送の転送速度が遅い駆動方法に変更することを特徴とする請求項３に記載の撮像装置。
【請求項５】
複数の受光部がマトリクス状に配列され、前記受光部の垂直列ごとに設けられた各受光部から電荷を転送する垂直転送部と、前記垂直転送部より電荷が転送され、転送された電荷を水平方向に転送する水平転送部とを有し、全画素の信号電荷を独立に読み出す静止画撮影モードにおいて、１行分の画素の信号電荷を複数回に分けて水平転送部にて転送し、読み出される構造を持つＣＣＤ撮像素子を具備する撮像装置の制御方法であって、
前記ＣＣＤ撮像素子を駆動する駆動ステップと、
前記駆動ステップを制御する制御ステップとを備え、
前記制御ステップは、静止画撮影モードにおける駆動方法（クロックパターン）を複数持ち、
前記制御ステップは、撮影条件に応じて、静止画撮影モードにおける駆動方法を変更するように制御を行う
ことを特徴とする撮像装置の制御方法。
【発明の詳細な説明】
【技術分野】
【０００１】
本発明は、ＣＣＤ撮像素子を用いた撮像装置における画像ノイズ低減手段に関するものである。
【背景技術】
【０００２】
デジタルスチルカメラでは、撮像デバイスとして、全画素の信号電荷を同時刻に一斉に垂直転送部に読み出し、かつ当該垂直転送部中で混合せずに転送して出力するいわゆる全画素読み出し方式のＣＣＤ撮像素子が用いられている。
【０００３】
デジタルスチルカメラ用のＣＣＤ撮像素子は、高画質、高解像度の静止画撮影を目的として、今日でも更なる多画素化が進められている。
【０００４】
ところで、デジタルスチルカメラの場合、撮影時にピントを合わせたり、撮影時のカメラアングルを調整したりするためには、撮像中の画像をモニタリングする必要がある。そのために、デジタルスチルカメラには一般的に、撮像画像を写し出すモニタ、例えば液晶モニタが装備されている。
【０００５】
モニタリングモードでは、液晶モニタに撮像中の画像がリアルタイムで表示され、その目的を果たすためには、フレームレートをある程度以上に保つ必要がある。また動画記録モードを備えたデジタルスチルカメラも多く、最近ではＨＤ動画に対応しているものもある。動画記録モードでも、ある程度のフレームレートが必要とされることは言うまでもない。
【０００６】
ＣＣＤ撮像素子の多画素化が進む中で、モニタリングモード等のフレームレートを維持するために、従来は垂直方向の一部のラインを間引いて読み出し、垂直方向の情報量を低減する、いわゆる間引き技術が用いられてきた。
【０００７】
しかしながら、垂直方向の間引きだけでは限界があり、フレームレートを上げるためには水平転送部の駆動周波数を高くせざるを得なく、消費電力の増加が問題となった。また垂直方向だけを間引くことは、スミアや偽色等による画質劣化の問題もあった。そこで最近では、水平方向の情報量も圧縮する技術が用いられるようになってきている（例えば、特許文献１参照）。
【０００８】
特許文献１のように、垂直方向、水平方向ともに情報量を圧縮することが出来れば、多画素のＣＣＤ撮像素子を用いたデジタルスチルカメラにおいても、動画モードに要求されるフレームレートを実現した上で、画質劣化を抑制することが出来る。
【先行技術文献】
【特許文献】
【０００９】
【特許文献１】特開２００６−１２９１３７号公報
【発明の概要】
【発明が解決しようとする課題】
【００１０】
特許文献１に記載のＣＣＤ撮像素子では、当然のことながら、全画素を間引きせずに独立に読み出す、すなわち静止画撮影も可能である。ただし、動画性能向上を追求した構造となっているために、その読み出し方法は従来の全画素読み出し方法とは異なっている。
【００１１】
該特許文献中でも説明があるように、例えば水平間引き加算を行う単位を３列とした構造の場合、全画素の信号電荷を独立に読み出す静止画撮影モードでは、１行分の画素の信号電荷を３回に分けて読み出す３ラインシーケンスとなっている。この３ラインシーケンスで出力される画素信号は、後段の信号処理系においてラインメモリなどを用いて、３ラインの画素信号を交互に並び替える処理が行われることで、元の１行分の画素配列に戻される。
【００１２】
以降、該特許文献に記載のようなＣＣＤ撮像素子の水平転送部の構造を「水平分割読み出し構造」と呼ぶこととする。この新しい構造により、これまでには無かった新たな問題も見つかっている。
【００１３】
水平分割読み出し構造を持つＣＣＤ撮像素子では、例えば１行分の画素の信号電荷を３回に分けて読み出す場合には、３ラインに一度だけ垂直転送が行われる。垂直転送には大きな電流が必要であり、どんなに優れた電源回路であっても垂直転送に起因する電源変動が３ラインに１回発生してしまう。この電源変動のために、ＣＣＤ撮像素子から出力される撮像信号の黒レベルも影響を受けて、３ラインおきにレベル差が発生する。この３ラインおきに発生するレベル差は、後段の信号処理系において並び替え処理が行われ３画素周期のレベル差となる。記録画像においてはこの３画素周期のレベル差が縦筋となって見えてしまう。
【００１４】
そこで本発明は、前記レベル差が顕著に見られる高感度撮影で電源変動を抑え、垂直転送に起因する撮像信号のレベル差を解消し、記録画像のノイズを低減させることを目的としている。
【課題を解決するための手段】
【００１５】
複数の受光部がマトリクス状に配列され、前記受光部の垂直列ごとに設けられた各受光部から電荷を転送する垂直転送部と、前記垂直転送部より電荷が転送され、転送された電荷を水平方向に転送する水平転送部とを有し、全画素の信号電荷を独立に読み出す静止画撮影モードにおいて、１行分の画素の信号電荷を複数回に分けて水平転送部にて転送し、読み出される構造を持つＣＣＤ撮像素子と、
前記ＣＣＤ撮像素子を駆動する駆動手段と、
前記駆動手段を制御する制御手段とを備え、
前記駆動手段は、静止画撮影モードにおける駆動方法（クロックパターン）を複数持ち、
前記制御手段は、撮影条件に応じて、静止画撮影モードにおける駆動方法を変更するように制御を行う
ことを特徴とする。
【発明の効果】
【００１６】
本発明によれば、前記レベル差が顕著に見られる高感度撮影で電源変動を抑え、垂直転送に起因する撮像信号のレベル差を解消し、記録画像のノイズを低減させることができる。
【図面の簡単な説明】
【００１７】
【図１】本発明の実施形態における撮像装置の概略構成を説明するブロック図である。
【図２】本発明の実施形態におけるタイミング発生装置の詳細を示すブロック図である。
【図３】本発明の実施形態におけるＣＣＤ撮像素子の概略構成図である。
【図４】本発明の実施形態における電荷転送の動作イメージ図である。
【図５】通常撮影時のＣＣＤ撮像素子の駆動パルスである。
【図６】通常撮影時のＣＣＤ撮像素子の電源波形である。
【図７】通常撮影時のＣＣＤ撮像素子における垂直転送と撮像信号の黒レベルとの関係を示す図である。
【図８】本発明の実施形態における高感度撮影時のＣＣＤ撮像素子の駆動パルスである。
【図９】本発明の実施形態における高感度撮影時のＣＣＤ撮像素子の電源波形である。
【図１０】本発明の実施形態におけるＣＣＤ撮像素子の垂直転送と撮像信号の黒レベルとの関係を示す図である。
【図１１】本発明の実施形態におけるフローチャートである。
【発明を実施するための形態】
【００１８】
以下に、本発明の好ましい実施の形態を、添付の図面に基づいて詳細に説明する。
【００１９】
以下図１を参照して、本発明の実施例による撮像装置の構成ブロック図について説明する。
【００２０】
本実施形態の撮像装置は、レンズユニット１０、メカシャッタ１９、ＣＣＤ撮像素子１１、ＣＣＤ撮像素子１１からの出力信号が入力されるアナログ信号処理回路１２、タイミング発生装置１３を有している。タイミング発生回路１３は、ＣＣＤ撮像素子１１の駆動及びアナログ信号処理回路１２で必要となるタイミングを供給するためのものである。
【００２１】
また、Ａ／Ｄ変換器１４、画像メモリを含み各種信号処理を行うデジタル信号処理回路１５、デジタル信号処理回路１５で処理された画像データを記録するための記録媒体１６を有している。また、デジタル信号処理回路１５で処理された画像データを表示するための表示装置１７等を有している。これらのユニットの制御をＣＰＵ１８により司るようにしている。
【００２２】
ＣＰＵ１８は明るさに応じてレンズユニット１０の絞りを制御することによりＣＣＤ撮像素子１１に入射する被写体光量を調整する。さらに、タイミング発生装置１３を介してＣＣＤ撮像素子１１の電荷蓄積時間を変化させて露光量を制御する。
【００２３】
ＣＣＤ撮像素子１１は、受像面に結像された被写体像をその光量に応じた量の信号電荷に変換して蓄積する。蓄積された信号電荷はタイミング発生回路１３から入力される転送パルスによって転送され、出力回路で信号電圧に変換された後、順次読み出されアナログ信号処理回路１２へ出力される。
【００２４】
アナログ信号処理回路１２は、主にＣＤＳ（相関二重サンプリング）回路、ＧＣＡ（ゲインコントロールアンプ）回路及びクランプ回路から成り、ノイズ除去や映像信号の増幅などを行う。アナログ信号処理回路１２の出力は、Ａ／Ｄ変換器１４へ入力され、デジタル信号に変換される。
【００２５】
Ａ／Ｄ変換器１４においてデジタル化された信号はデジタル信号処理回路１５に入力される。デジタル信号処理回路１５では、目的に応じて必要な信号処理が施される。例えば、画像を記録する場合にはデジタル信号処理回路１５で必要な処理を行った後、記録媒体１６へと出力され、画像データが記録される。
【００２６】
また、画像を表示する場合にはデジタル信号処理回路１５で必要な処理を行った後、表示装置１７へとデジタル信号が出力される。表示装置１７は、撮像装置本体に装着された液晶モニタ（ＬＣＤ）や、あるいはＴＶモニタへ出力するための信号出力端子のことである。ＣＰＵ１８はレンズユニット１０、アナログ信号処理回路１２、タイミング発生回路１３、デジタル信号処理回路１５、表示装置１７に対して必要な制御を行う。
【００２７】
図２は、ＣＣＤ撮像素子１１の垂直転送路および水平転送路を駆動するタイミング発生装置１３の詳細を示す図である。タイミング発生装置１３は、分周器２０、内部メモリ２１、タイミング発生回路２４、垂直駆動部２２、水平駆動部２３、内部メモリ２１内に記録される転送クロックパターン２５を備えている。今後、垂直駆動タイミング信号と水平駆動タイミング信号の元ととなるデータのことを転送クロックパターン２５と呼ぶ。分周器２０はＣＰＵ１８から出力された基準クロックを分周して、分周後の基準クロックをタイミング発生回路２４に出力する。今後タイミング発生回路２４に入力する基準クロックのことをＭＣＫ（マスタークロック）と呼ぶ。内部メモリ２１にはＣＣＤ撮像素子１１に与えられる垂直駆動パルスと水平駆動パルスの信号内容を記載した転送クロックパターン２５が予め設定されている。近年図２のように、書き換え可能な内部メモリ２１を持つタイプのタイミング発生装置１３が普及しており、ＣＣＤの駆動パターンを複数持つことが出来る。そのために垂直駆動部２２と水平駆動部２３へ出力する駆動タイミング信号は内部メモリ２１から読み出した転送クロックパターン２５を元に、プログラムで駆動タイミング信号を変えることができる。本発明では内部メモリ２１に、通常感度用転送クロックパターン２６と高感度用転送クロックパターンを保持している。タイミング発生回路２４から垂直駆動タイミング信号が出力され、垂直駆動部２２に入力すると、ＣＣＤ撮像素子１１の垂直転送路が駆動し、タイミング発生回路２４から水平駆動タイミング信号が出力され、水平駆動部２３に入力するとＣＣＤ撮像素子１１の水平転送路が駆動する。
【００２８】
図３にタイミング発生装置１３とＣＣＤ撮像素子１１の詳細を示す。水平分割読出しを行う単位を垂直ＣＣＤ３３１、３３２、３３３の３列とした構造を持つＣＣＤ撮像素子を一例として挙げた。撮像部３１は、行列状に配置され、入射光をその光量に応じた電荷量の信号電荷に変換する複数の画素（光電変換素子を含む受光部）３２を含んでいる。これら画素３２は行列状配列に対して列ごとに配置され、画素３２の各々で光電変換され、これらの画素３２から読み出された信号電荷を列単位で垂直転送する複数の垂直ＣＣＤ（垂直転送部）３３とによって構成されている。
【００２９】
この撮像部３１と水平ＣＣＤ３８との間には、水平分割読出し構造のＣＣＤ撮像素子の特徴であるストレージゲート３４、ホールドゲート３５、ゲート３６、電荷蓄積部３７が設けられている。ホールドゲート３５は電荷の転送を選択的に阻止するためのものであり、ストレージゲート３４にてホールドゲート３５により阻止された電荷を一時的に蓄積することができる。また垂直信号電荷を蓄積加算する電荷蓄積部３７及び電荷蓄積部３７の前段にＤＣバイアスのＬＯＷレベルが与えられるゲートＬＶ３６を設けることにより、列方向の垂直信号電荷を蓄積加算することが出来る。
【００３０】
電荷蓄積部３７に一時的に蓄積された信号電荷は順に水平ＣＣＤ（水平転送部）３８にシフト（転送）される。水平ＣＣＤ３６は、電荷蓄積部３７からシフトされた信号電荷を順に水平転送する。水平ＣＣＤ３８の転送先側の端部には電荷検出部３９が設けられている。電荷検出部３９は水平ＣＣＤ３８によって順に転送されてくる信号電荷を信号電圧に変換して出力する。
【００３１】
上記構成のＣＣＤ撮像素子１１は、タイミング発生装置１３で発生される各種のタイミング信号によって駆動される。タイミング発生装置１３は、垂直同期信号ＶＤ、水平同期信号ＨＤおよびＭＣＫに基づいて、垂直ＣＣＤ３３を転送駆動する例えば６相の垂直転送パルスＶ１〜Ｖ６と、ストレージゲート３４を駆動するストレージパルスＳｔ１，２、ホールドゲート３５を駆動するホールドパルスＨｏｌｄ１，２、ゲートＬＶ３６を駆動するＬＶ、電荷蓄積部３７を駆動するＶＯＧ、水平ＣＣＤ３８を転送駆動する例えば３相の水平転送パルスＨ１〜Ｈ３などのタイミング信号を外部から与えられる撮像モード情報に対応したタイミング関係をもって生成する。
【００３２】
図４に本発明の実施形態における電荷転送の動作イメージ図を示す。全画素の信号電荷を独立に読み出す静止画撮影モードでは、１行分の画素３２の信号電荷４０を３回に分けて読み出す３ラインシーケンスとなっている。（ａ）、（ｂ）、（ｃ）はそれぞれ垂直ＣＣＤ３３１、３３２、３３３の水平転送開始時の動作イメージ図を表している。図４は簡略化のため、ストレージゲート３４、ゲートＬＶ３６、電荷蓄積部３７の記載は省略している。
【００３３】
図５にＣＣＤ撮像素子の駆動パルスを示す。垂直転送は３ラインに一度だけ行われ、便宜上ａライン、ｂライン、ｃラインと３つに分けて呼ぶ事とする。ａラインは垂直転送が行われるラインであり、ｂライン及びｃラインは垂直転送が行われないラインである。図５のαは通常撮影時の垂直転送時間を表し、βは水平転送時間を表している。
【００３４】
以降図３、図４、図５を用いて静止画読出しのシーケンスについて説明する。
【００３５】
３列を単位とする垂直ＣＣＤ３３１，３３２，３３３のうち、垂直ＣＣＤ３３１の信号電荷がまず図５のａラインの期間、図４の（ａ）のタイミングで水平ＣＣＤ３８に移送される。ＣＣＤ３３２，３３３の信号電荷については、ホールドパルスＨｏｌｄ１，２によって、水平ＣＣＤ３８への移送が阻止される。水平ＣＣＤ３８に移送された垂直ＣＣＤ３３１の信号電荷４０は、水平ＣＣＤ３８での３相（Ｈ１，Ｈ２，Ｈ３）駆動によって水平転送された後、電荷検出部３９で信号電圧に変換されて出力される。
【００３６】
図５のｂラインに入ると、Ｓｔ１，２、Ｈｏｌｄ１，２が駆動して垂直ＣＣＤ３３２の信号電荷がストレージゲート３４とホールドゲート３５を通過して図４の（ｂ）のタイミングで水平ＣＣＤ３８に転送される。このとき垂直ＣＣＤ３３３の信号電荷はそのままストレージゲート３４にホールドされた状態にある。水平ＣＣＤ３８に転送された垂直ＣＣＤ３３２の信号電荷は、当該水平ＣＣＤ３８で水平転送された後、電荷検出部３９で信号電圧に変換されて出力される。
【００３７】
図５のｃラインに入ると、Ｓｔ１，２、Ｈｏｌｄ１，２が駆動して垂直ＣＣＤ３３３の信号電荷がストレージゲート３４、ホールドゲート３５を通過して図４の（ｃ）のタイミングで水平ＣＣＤ３８に転送される。さらに当該水平ＣＣＤ３８で水平転送された後、電荷検出部３９で信号電圧に変換されて出力される。以上で３ラインシーケンス全て完了する。この３ラインシーケンスで出力される画素信号は、後段の信号処理系においてラインメモリなどを用いて、３ラインの画素信号を交互に並び替える処理が行われることで、元の１行分の画素配列に戻される。
【００３８】
図６にＣＣＤ撮像素子の電源波形を示す。図４のようにαは垂直転送時間を表し、βは水平転送時間を表し、１行分の画素の信号電荷をａライン、ｂライン、ｃラインの３回に分けて読み出す場合の電源波形を示している。図６に記載されているＶＨ電源は電子シャッター動作と露光した電荷を垂直転送路に移動させるための１３Ｖ程度の正電源であり、ＶＬ電源は垂直駆動パルス３０を出力させるための−７．５Ｖ程度の負電源を示している。
【００３９】
Ｖ１〜Ｖ６といった垂直転送路を駆動させているａラインではＶＬ電源電流を多く供給する必要があり、垂直転送に起因する電源変動が３ラインに１回発生してしまう。
【００４０】
図７にＣＣＤ撮像素子における垂直転送と撮像信号の黒レベルとの関係を示す。前記電源変動のために、ＣＣＤ撮像素子から出力される撮像信号の黒レベルは影響を受けて、３ラインおきにレベル差が発生する。この３ラインおきに発生するレベル差は、後段の信号処理系において並び替え処理が行われ３画素周期のレベル差となる。
【００４１】
本実施形態の撮像装置では、電源変動を減らすために信号電荷４０の転送速度を遅くする。図８に一例として２倍の時間をかけて垂直駆動パルスを動作させた場合のＣＣＤ駆動パルスを示す。αは従来の垂直転送時間を、βは従来の水平転送時間を表している。信号電荷４０の転送速度を遅くすることで単位時間当たりの負荷電流を減少させ、図９のように電源変動を抑えることができる。
【００４２】
図１０に本実施形態を用いた場合のＣＣＤ撮像素子における垂直転送と撮像信号の黒レベルとの関係を示す。図７と比較すると、垂直転送に起因する電源変動が低減されるため、ＣＣＤ撮像素子から出力される撮像信号の黒レベルの、３ラインおきのレベル差も減少する。この３ラインおきに発生するレベル差が低減されるため、後段の信号処理系において並び替え処理が行われた後の３画素周期のレベル差も減少する。
【００４３】
但し、垂直転送時間を長くすると、静止画の読出し速度が遅くなり、撮影を実施してから次回の撮影が可能となるまでの時間が長くなるため、連写性能が落ちるデメリットがある。
【００４４】
そこで図２のように内部メモリ２１からタイミング発生回路２４が読み出す転送クロックパターン２５をノイズが目立たない場合（通常感度用２６）、ノイズが目立つ場合（高感度用２７）と複数種類持ち、撮影条件に合わせてタイミング発生回路２４が内部メモリ２１からどちらの転送クロックパターン２７読み出すか選択する方式を取る。
【００４５】
以下、具体的な撮影を想定して本実施形態の撮像装置の動作を、図１１のフローチャートを参照しながら説明する。まず、撮像装置を静止画の撮影が可能な撮影モードにする（Ｓ１１０）。次に撮像装置の設定により転送クロックパターンを高感度撮影モードにするか通常撮影モードにするか選択する（Ｓ１１１）。通常撮影モードでは内部メモリ２１から通常撮影用の転送クロックパターン２６を読出し（Ｓ１１２ａ）、高感度撮影モードでは内部メモリ２１から高感度用の転送クロックパターン２７を読出す（Ｓ１１２ｂ）。ユーザーがレリーズを全押しして撮影を開始すると（Ｓ１１３）、まず露光を行い、ＣＣＤ撮像素子１１に光をあて光電変換により発生した信号電荷４０を画素３２に蓄積する（Ｓ１１４）。露光で信号電荷４０を蓄積した後、選択した転送クロックパターン２５に従って、画素３２に蓄積した信号電荷４０を垂直転送（Ｓ１１５）し、移動した信号電荷４０を水平転送する（Ｓ１１６）。通常撮影モードと高感度撮影モードは同一形状の水平駆動パルスにて転送を行う。Ｓ１１５、Ｓ１１６の動作で１行分画素３２を読出したことになるが、まだ全行分の画素を読み出していない場合は静止画の取込が完了していないため、Ｓ１１５に戻り次の行の画素読出しを行う。全行の画素読み出しが完了すると静止画取込が終了（Ｓ１１７）し、撮影が終了する（Ｓ１１８）。
【００４６】
ここでは、静止画撮影モードの読み出しにおいて、１行分の画素の信号電荷を３回に分けて読み出す場合を例に説明をしたが、４回あるいはそれ以上の回数に分けて読み出す場合についても、同様の手法を用いることが出来る。
【００４７】
以上説明したように、本実施形態によれば、前記レベル差が顕著に見られる高感度撮影で電源変動を抑え、垂直転送に起因する撮像信号のレベル差を解消し、記録画像のノイズを低減させることが出来る。
【符号の説明】
【００４８】
１０  レンズユニット
１１  ＣＣＤ撮像素子
１２  アナログ信号処理回路
１３  タイミング発生回路
１４  Ａ／Ｄ変換器
１５  デジタル信号処理回路
１６  記録媒体
１７  表示装置
１８  ＣＰＵ
１９  メカシャッタ
２０  分周器
２１  内部メモリ
２２  垂直駆動部
２３  水平駆動部
２４  タイミング発生回路
２５  転送クロックパターン
２６  通常感度用転送クロックパターン
２７  高感度用転送クロックパターン
３１  撮像部
３２  画素
３３  垂直ＣＣＤ
３３１  ａライン（１列目の）の垂直ＣＣＤ
３３２  ｂライン（２列目の）の垂直ＣＣＤ
３３３  ｃライン（３列目の）の垂直ＣＣＤ
３４  ストレージゲート
３５  ホールドゲート
３６  ゲートＬＶ
３７  電荷蓄積部
３８  水平ＣＣＤ
３９  電荷検出部
４０  信号電荷
【図６】
2012095215.tif 000003
【図７】
2012095215.tif 000004
【図９】
2012095215.tif 000005
【図１０】
2012095215.tif 000006
【図１】
2012095215.tif 000007
【図２】
2012095215.tif 000008
【図３】
2012095215.tif 000009
【図４】
2012095215.tif 000010
【図５】
2012095215.tif 000011
【図８】
2012095215.tif 000012
【図１１】
2012095215.tif 000013